(57)【特許請求の範囲】
【請求項１】
アンテナからの受信信号が第１の入力端子を介して直接供給される前記第１の増幅回路と、この第１の増幅回路の出力信号が供給される第２の増幅回路と、この第２の増幅回路の出力信号が一方の入力に供給される混合器と、この混合器の他方の入力に接続される発振器と、この発振器の周波数をＰＬＬ（フェイズロックドループ）により制御するＰＬＬ回路と、前記混合器の出力が供給される第３の増幅回路と、この第３の増幅回路の出力信号が供給される第１の出力端子と、前記混合器からの出力信号が供給されるとともに第１の利得制御電圧により前記第２の増幅回路を利得制御する第１の利得制御器と、前記第３の増幅回路からの出力信号が供給されるとともに第２の利得制御電圧により前記第３の増幅回路を利得制御する第２の利得制御器とを備え、前記第１、第２の利得制御器からそれぞれ出力された第１、第２の利得制御電圧のいずれかまたは両方をあらかじめ定められたそれぞれの基準電圧と比較し前記アンテナからの前記受信信号が強電界であるか判定する信号レベル判定器と、この信号レベル判定器の出力が供給される利得切替え制御器とを設け、前記アンテナからの前記受信信号が強電界である場合にこの利得切替え制御器から出力される利得切替え信号により前記第１の増幅回路の利得を小さくする制御を行う高周波受信装置。
【請求項２】
利得制御器から出力される利得制御電圧がそれぞれのデジタル変換器によりデジタル信号とされ、これらデジタル信号がＩ２Ｃバスラインを用いて信号レベル判定器に入力された請求項１に記載の高周波受信装置。
【請求項３】
前記第１の出力端子からの出力信号が第２の入力端子を介して供給される復調部を有する請求項１に記載の高周波受信装置であって、前記復調部は、前記第２の入力端子からの信号が供給される第４の増幅回路と、この第４の増幅回路の出力信号が供給されるとともに復調信号を出力するデジタル用復調器と、このデジタル用復調器への入力信号が供給されるとともに前記第４の増幅回路を第３の利得制御電圧により利得制御する第３の利得制御器とを備え、第１、第２の利得制御電圧、前記第３の利得制御電圧のうちひとつ以上の利得制御電圧があらかじめ定められたそれぞれの基準電圧と比較・判定される信号レベル判定器が設けられた高周波受信装置。
【請求項４】
前記第１の出力端子からの出力信号が第２の入力端子を介して供給される復調部を有する請求項１に記載の高周波受信装置であって、前記復調部は、前記第２の入力端子からの信号が供給されるとともに復調信号を出力するデジタル用復調器を備え、第２の利得制御器への入力は第３の増幅回路からの出力信号の代わりに前記デジタル用復調器への入力信号が供給され、第１、第２の利得制御電圧のうちひとつ以上の利得制御電圧をあらかじめ定められたそれぞれの基準電圧と比較し前記アンテナからの前記受信信号が強電界であるか判定する信号レベル判定器が設けられた高周波受信装置。
【請求項５】
第１、第２、第３の利得制御器からそれぞれ出力される第１、第２、第３の利得制御電圧がそれぞれのデジタル変換器によりデジタル信号とされ、これらデジタル信号がＩ２Ｃバスラインにより信号レベル判定器に入力される請求項３に記載の高周波受信装置。
【請求項６】
利得切替え制御部には、デジタル用復調器から出力されるＢＥＲ（ビットエラーレート）をＢＥＲ基準値と比較・判定するＢＥＲ判定器を設け、このＢＥＲ判定器と信号レベル判定器からのそれぞれの判定信号が利得切替え制御器に入力される請求項３に記載の高周波受信装置。
【請求項７】
ＢＥＲ判定器には、復調部から出力されるＢＥＲを比較・判定するためのＢＥＲ基準値が入力されるＢＥＲ用入力端子が設けられた請求項６に記載の高周波受信装置。
【請求項８】
利得切替え制御部には、デジタル用復調器から出力されるＣ／Ｎ（キャリア対ノイズ）をＣ／Ｎ基準値と比較・判定するＣ／Ｎ判定器を設け、このＣ／Ｎ判定器と信号レベル判定器からのそれぞれの出力信号が利得切替え制御器に入力される請求項３に記載の高周波受信装置。
【請求項９】
Ｃ／Ｎ判定器には、復調部から出力されるＣ／Ｎを比較・判定するためのＣ／Ｎ基準値が入力されるＣ／Ｎ用入力端子が設けられた請求項８に記載の高周波受信装置。
【請求項１０】
前記第１の出力端子からの出力信号が第２の入力端子を介して供給される復調部を有する請求項１に記載の高周波受信装置であって、前記復調部は、前記第２の入力端子からの信号が供給されるとともに復調信号を出力するアナログ用復調器を備え、第２の利得制御器への入力は第３の増幅回路からの出力信号の代わりに前記アナログ用復調器への入力信号が供給され、第１、第２の利得制御電圧のうちひとつ以上の利得制御電圧をあらかじめ定められたそれぞれの基準電圧と比較し前記アンテナからの前記受信信号が強電界であるか判定する信号レベル判定器が設けられた高周波受信装置。
【請求項１１】
利得切替え制御部には、復調部から出力されるＳ／Ｎ（シグナル対ノイズ）をＳ／Ｎ基準値と比較・判定するＳ／Ｎ判定器を設け、このＳ／Ｎ判定器と信号レベル判定器からのそれぞれの判定信号が利得切替え制御器に入力され、この利得切替え制御器の制御信号が第１の利得制御入力に供給された請求項１０に記載の高周波受信装置。
【発明の詳細な説明】
【技術分野】
【０００１】
本発明は、大きな妨害信号のあるエリアでの受信条件、およびテレビ放送信号の弱電界エリアでの受信条件のそれぞれに対応して、良好な受信を可能とする高周波受信装置に関するものである。
【背景技術】
【０００２】
以下、従来の高周波受信装置について説明する。図６に示すように、従来の高周波受信装置１は、高周波受信部２と、この高周波受信部２の出力に接続された復調部３とで構成されていた。
【０００３】
高周波受信部２では、アンテナ４で受信された信号が入力端子２ａを介して増幅回路５に供給される。この増幅回路５により増幅された出力信号は、増幅回路６によって利得制御されて、混合器７の一方の入力に供給される。また、他方の入力には発振器８の出力信号が供給される。この混合器７から出力される周波数変換された信号は、増幅回路９で利得制御されて、出力端子１０から出力される。
【０００４】
そして、この出力端子１０からの出力信号は、増幅回路１１で利得制御される。この増幅回路１１から出力される信号は、デジタル用復調器１２に供給されたのち、出力端子１３から復調された信号が出力される。
【０００５】
なお、この出願の発明に関連する先行技術文献情報としては、例えば、特許文献１が知られている。
【特許文献１】特開２００５−０５７６４２号公報
【発明の開示】
【発明が解決しようとする課題】
【０００６】
しかしながら、従来の高周波受信装置１では、希望信号に近接した周波数で、かつ大きなレベルの妨害信号が入力端子２ａから入力されると、増幅回路５あるいは混合器７が、この大きなレベルの妨害信号によって妨害を受けてしまう。
【０００７】
特に、近年導入されたデジタル放送信号は、現存のアナログ放送信号に影響を与えることがないように、送信アンテナからの送信電力を小さくしている。従って、デジタル放送信号の受信時において、大きなレベルのアナログ放送信号が妨害信号となり正常な受信ができなくなるという問題があった。
【０００８】
そこで、本発明は、この問題を解決したもので、妨害特性と受信感度を両立できる高周波受信装置を提供することを目的としたものである。
【課題を解決するための手段】
【０００９】
この目的を達成するために、第１、第２の利得制御器からそれぞれ出力された第１、第２の利得制御電圧のいずれかまたは両方をあらかじめ定められたそれぞれの基準電圧と比較しアンテナからの受信信号が強電界であるか判定する信号レベル判定器と、この信号レベル判定器の出力が供給される利得切替え制御器とを設け、アンテナからの受信信号が強電界である場合にこの利得切替え制御器から出力される利得切替え信号により前記第１の増幅回路の利得を小さくする制御を行う。
【００１０】
これにより、所期の目的を達成することが可能となる。
【発明の効果】
【００１１】
以上のように、第１、第２の利得制御器からそれぞれ出力された第１、第２の利得制御電圧のいずれかまたは両方をあらかじめ定められたそれぞれの基準電圧と比較しアンテナからの受信信号が強電界であるか判定する信号レベル判定器と、この信号レベル判定器の出力が供給される利得切替え制御器とを設け、アンテナからの受信信号が強電界である場合にこの利得切替え制御器から出力される利得切替え信号により前記第１の増幅回路の利得を小さくする制御を行うものである。
【００１２】
これにより、大きな妨害信号のある強電界エリアでは、利得切替え制御器からの利得切替え信号により第１の増幅回路の利得を小さくする。このため、高周波受信部からは歪の少ない信号が出力される。
【００１３】
一方、弱電界エリアでは、利得切替え制御器からの利得切替え信号により第１の増幅回路を最大利得で動作させる。このため、高周波受信部からはノイズの少ない信号を出力することができる。
【００１４】
このように、第１の増幅回路の動作状態を、利得切替え制御器により切替えることによって、大きな妨害信号のある強電界での妨害特性と弱電界での受信感度とを両立できる高周波受信装置を提供できる。
【００１５】
特に、大きく受信条件が変化する移動受信中においては、安定した受信が可能となる。
【発明を実施するための最良の形態】
【００１６】
（実施の形態１）
以下、本発明の実施の形態１について、図１を用いて説明する。図１は、高周波受信装置２１のブロック図である。本発明の実施の形態では一実施例として、デジタル方式のテレビ放送信号を受信する高周波受信装置２１について説明する。
【００１７】
この高周波受信装置２１は、高周波受信部２３と、この高周波受信部２３の出力が接続された復調部２４と、高周波受信部２３を制御する利得切替え制御部２５から構成されている。
【００１８】
以下、高周波受信部２３の構成について説明する。この高周波受信部２３には、アンテナ２６の接続された入力端子２３ａと出力端子２３ｂとが設けられている。入力端子２３ａと出力端子２３ｂの間には、入力端子２３ａ側から順に、信号を増幅する増幅回路４１と、妨害信号を抑圧するフィルタ４２と、利得制御入力４３ａにより利得制御の可能な増幅回路４３と、増幅回路４３の出力が接続されるとともに妨害信号を抑圧するフィルタ４４と、このフィルタ４４の出力が一方の入力４５ａに供給される混合器４５と、周波数変換された出力信号を通過させるとともに妨害信号を抑圧するフィルタ４６と、利得制御入力４７ａにより利得制御の可能な増幅回路４７と、妨害信号を抑圧するフィルタ５０とが接続されている。
【００１９】
また、混合器４５の他方の入力４５ｂには、発振器４８の出力が接続されている。この発振器４８には、ＰＬＬ回路４９の出力４９ａから出力される制御電圧が供給され、発振周波数を可変できる。ＰＬＬ回路４９の入力４９ｂには、入力端子２３ｃから入力される制御データが供給される。また、ＰＬＬ回路４９の出力４９ａから出力される制御電圧は、フィルタ４２、４４の同調回路に供給され、同調周波数を可変する。なお、フィルタ４２、４４は、固定フィルタとしてもよい。
【００２０】
さらに、混合器４５の出力信号は、フィルタ４６に入力されるとともに、利得制御電圧を出力する利得制御器５４に入力される。この利得制御電圧は、増幅回路４３の利得制御入力４３ａに供給されている。
【００２１】
また、増幅回路４７の出力信号は、フィルタ５０に入力されるとともに、利得制御電圧を出力する利得制御器５６に入力される。この利得制御電圧は、増幅回路４７の利得制御入力４７ａに供給されている。
【００２２】
次に、復調部２４の構成について説明する。この復調部２４には、入力端子２４ａと出力端子２４ｂとが設けられている。この入力端子２４ａと出力端子２４ｂとの間には、入力端子２４ａから順に、利得制御入力５８ａにより利得制御の可能な増幅回路５８と、Ａ／Ｄコンバータ５９と、デジタルフィルタ６０と、デジタル用復調器６１が接続されている。
【００２３】
このデジタルフィルタ６０の出力は、デジタル用復調器６１に入力されるとともに利得制御器６３に入力される。この利得制御器６３から出力される利得制御電圧は、増幅回路５８の利得制御入力５８ａに供給されている。
【００２４】
次に、利得切替え制御部２５の構成について説明する。利得切替え制御部２５は、ＢＥＲ判定器６６と、信号レベル判定器６９と、ＢＥＲ判定器６６の出力と信号レベル判定器６９の出力が入力６７ａ、６７ｂにそれぞれ入力されている利得切替え制御器６７とから構成されている。
【００２５】
このＢＥＲ判定器６６の入力６６ａには、デジタル用復調器６１から出力されるＢＥＲが利得切替え制御部２５に設けられた入力端子２５ａを介して入力される。ＢＥＲ判定器６６の入力６６ｂには、ＢＥＲ用基準値が入力されるＢＥＲ用入力端子２５ｂが接続されている。なお、ＢＥＲ判定器６６の代わりにＣ／Ｎ検出器を用いてもよい。
【００２６】
また、信号レベル判定器６９には入力６９ａ、６９ｂ、６９ｃ、６９ｄが設けられている。これら入力６９ａ、６９ｂ、６９ｃには、利得制御器５４、５６、６３から出力される利得制御電圧がそれぞれ入力されている。さらに、入力６９ｄは、利得切替え制御部２５に設けられた基準電圧用入力端子２５ｃに接続されている。
【００２７】
これらの利得制御電圧は、それぞれの基準電圧と比較されることにより電圧が判定される。これらの基準電圧は、利得切替え制御部２５に設けられた基準電圧用入力端子２５ｃを介して入力６９ｄから入力することができる。
【００２８】
そして、ＢＥＲ判定器６６と信号レベル判定器６９からの判定信号に基づいて、利得切替え制御器６７から出力される利得切替え信号が、制御端子２３ｄを介して増幅回路４１の利得制御入力４１ａに入力される。
【００２９】
以上のように構成された高周波受信装置２１の動作について、図１、図２を用いて説明する。なお、受信条件としては、デジタル放送信号とアナログ包装信号の信号レベルの大小関係だけでなく、アナログ放送信号同士あるいは、デジタル放送信号同士での大小関係においても、本実施の形態の効果は、同様である。
【００３０】
最初に、高周波受信装置２１の高周波受信部２３の動作について図１を用いて説明する。アンテナ２６の受信信号は、入力端子２３ａを介して増幅回路４１の入力４１ｂに入力される。この増幅回路４１の出力４１ｃからの出力信号は、フィルタ４２に入力される。このフィルタ４２では、希望信号以外の妨害信号が抑圧される。このフィルタ４２の出力信号は、増幅回路４３により増幅された後、フィルタ４４に入力される。このフィルタ４４により希望信号以外の妨害信号が抑圧されたのち、混合器４５の一方の入力４５ａに供給される。また、他方の入力４５ｂにはＰＬＬ回路４９で制御された発振器４８の出力信号が供給されている。
【００３１】
ここで、ＰＬＬ回路４９の入力４９ｂには、入力端子２３ｃを介してＰＬＬ制御用データが入力される。そして、ＰＬＬ回路４９の出力４９ａから出力される制御電圧により発振器４８の発振周波数およびフィルタ４２、４４の同調周波数が制御される。つまり、受信信号の中の希望信号が選局されることになる。
【００３２】
そして、混合器４５からは、例えば８ＭＨｚの中間周波数となる希望信号が出力される。この中間周波数の信号は、妨害信号が抑圧されるフィルタ４６に入力されるとともに、利得制御器５４に入力される。フィルタ４６は、固定のＢＰＦ（バンドパスフィルタ）を用いることができるので、近接した妨害信号を十分に抑圧できる。
【００３３】
また、利得制御器５４から出力される利得制御電圧は、増幅回路４３の利得制御入力４３ａに供給される。これにより、混合器４５の出力信号が一定のレベルになるように利得制御される。
【００３４】
なお、利得制御器５４への入力は、フィルタ４６からの出力信号を供給してもよい。このフィルタ４６により妨害信号を抑圧できるので、この妨害信号による利得制御への影響を少なくできる。
【００３５】
さらに、フィルタ４６の出力信号は、増幅回路４７で増幅されたのち、フィルタ５０に供給されるとともに、利得制御電圧を出力する利得制御器５６に入力される。この利得制御電圧は、増幅回路４７の利得制御入力４７ａに供給される。これにより、増幅回路４７の出力信号は、一定のレベルになるように利得制御される。
【００３６】
そして、増幅回路４７の出力信号は、フィルタ５０により妨害信号が十分に抑圧されたのち、出力端子２３ｂから出力される。
【００３７】
なお、利得制御器５６への入力は、フィルタ５０からの出力信号を供給してもよい。このフィルタ５０により妨害信号を抑圧できるので、この妨害信号による利得制御への影響を少なくできる。
【００３８】
以上のように、入力端子２３ａに入力された受信信号は、増幅回路４３、４７において利得制御が行われるとともに、混合器４５により周波数変換され、フィルタ４２、４４、４６により妨害信号が十分に抑圧される。そして、出力端子２３ｂからは、この周波数変換された一定レベルの希望信号が出力される。
【００３９】
次に、復調部２４の動作について説明する。増幅回路５８には、高周波受信部２３の出力信号が入力される。この増幅回路５８により増幅された信号は、アナログ信号をデジタル信号に変換するＡ／Ｄコンバータ５９に入力される。このＡ／Ｄコンバータ５９から出力されるデジタル信号は、デジタル処理により妨害信号が十分に抑圧されるデジタルフィルタ６０に入力される。このデジタルフィルタ６０からのデジタル信号は、ＴＳ（トランスポートストリーム）信号を出力するデジタル用復調器６１に入力される。
【００４０】
また、デジタルフィルタ６０の出力は、利得制御電圧を出力する利得制御器６３に入力される。この利得制御電圧は、増幅回路５８の利得制御入力５８ａに供給される。これにより、増幅回路５８は、デジタル用復調器６１への入力レベルが一定レベルになるように利得制御する。
【００４１】
次に、利得切替え制御部２５のＢＥＲ判定器６６の動作について説明する。ＢＥＲ判定器６６では、ＢＥＲ用入力端子２５ｂから入力されるＢＥＲ用基準値と、デジタル用復調器６１の出力６１ａから出力されるＢＥＲとが比較・判定される。このＢＥＲ判定器６６から出力される判定信号は、利得切替え制御器６７の入力６７ａに入力されている。なお、ＢＥＲ判定器６６の代わりにＣ／Ｎ検出器を用いてもよい。
【００４２】
図２は、高周波受信装置２１における入力信号レベルとＢＥＲの関係図である。なお、入力信号レベルとして、例えば−５０ｄＢｍ以上の受信レベルを強電界エリアとし、−９０ｄＢｍ以下の受信レベルを弱電界エリアとしている。
【００４３】
また、増幅回路４３の利得制御範囲は、入力端子２３ａにおける入力信号レベルとして０〜−５０ｄＢｍとしている。増幅回路４７の利得制御範囲は、入力端子２３ａにおける入力信号レベルとして−５０ｄＢｍ〜−９０ｄＢｍとしている。増幅回路５８の利得制御範囲は、入力端子２３ａにおける入力信号レベルとして−９０ｄＢｍ以下として説明する。
【００４４】
図２において、１０１は、アンテナ２６からの入力信号レベルであり、１０１ａは微弱信号レベル（−１１０ｄＢｍ）、１０１ｂは強い信号レベル（−１０ｄＢｍ）を表している。１０２は、ＢＥＲであり、１０２ａはエラーフリー（エラーが発生しない状態）である。１０３は、ＢＥＲが２×１０-4であり、このＢＥＲ（２×１０-4）より大きい場合を、受信品質が悪い場合と判定している。
【００４５】
特性１０４は、希望信号のみを受信した場合のＢＥＲを表している。この特性１０４において、入力信号レベル１０１ｃ（−９０ｄＢｍ）では、ＢＥＲ１０２ｂとなり、入力信号レベル１０１ａ（−１１０ｄＢｍ）では、さらにＢＥＲが劣化している。これは、高周波受信部２３の雑音指数と、ノイズ成分の多い受信信号により発生する。
【００４６】
一方、信号レベル１０１ｄ（−２０ｄＢｍ）より大きい入力信号レベルでは、ＢＥＲが劣化している。これは、高周波受信部２３に対して、大きな希望信号レベルが入力されたために歪が発生したものである。特に、−１０ｄＢｍ以上の信号が入力されると、増幅回路４１、４３、混合器４５における歪による影響が大きく現れる。
【００４７】
特性１０５は、希望信号とともに、この希望信号より略４０ｄＢ大きい妨害信号を受信した場合のＢＥＲを表している。入力信号レベル１０１ｃ（−９０ｄＢｍ）では、ＢＥＲ１０２ｃとなり、特性１０４での入力レベル１０１ｃ（−９０ｄＢｍ）でＢＥＲ値とほぼ同じである。
【００４８】
また、入力信号レベル１０１ｅ（−５０ｄＢｍ）では、希望信号（−５０ｄＢｍ）とともに大きな妨害信号を受信するので、ＢＥＲ１０２ｄと劣化している。これは、希望信号より略４０ｄＢ大きい妨害信号が入力されるので、増幅回路４１、４３、混合器４５において、歪が発生するためである。ＢＥＲ１０２ｄは、ＢＥＲが劣化しＢＥＲ１０３（２×１０-4）に近づく。
【００４９】
ところが、入力信号レベル１０１ｆ（−６５ｄＢｍ）では、ＢＥＲ１０２ｅとなり、入力信号レベル１０１ｅ（−５０ｄＢｍ）のＢＥＲ１０２ｄより良化している。これは、希望信号が−５０ｄＢｍから−７５ｄＢｍと小さくなるが、同時に妨害信号も−１０ｄＢｍから−２５ｄＢｍと小さくなるからである。
【００５０】
このように、入力信号レベル１０１ｅ（−５０ｄＢｍ）を、入力信号レベル１０１ｆ（−６５ｄＢｍ）と小さく設定することにより、ＢＥＲを大幅に改善できることがわかる。これを実現するには、増幅回路４１の増幅度の変化分を例えば−１５ｄＢあるいは−２５ｄＢとすればよい。
【００５１】
以上から明らかなように、希望信号に対して大きな妨害信号が入力された場合には、ＢＥＲ判定器６６により受信中のＢＥＲがＢＥＲ用基準値（２×１０-4）と比較・判定される。この受信中のＢＥＲが、ＢＥＲ用基準値（２×１０-4）より悪い場合には、利得切替え制御器６７から出力される利得切替え信号により、増幅回路４１の増幅度変化分を例えば１５ｄＢ小さくすればよい。
【００５２】
これにより、入力信号レベル１０１ｅ（−５０ｄＢｍ）を、入力信号レベル１０１ｆ（−６５ｄＢｍ）とできる。また、入力信号レベル１０１ｃ（−９０ｄＢｍ）以下の弱電界レベルを受信する場合には、増幅回路４１の増幅度を通常状態に戻して用いるとよい。
【００５３】
以上のように、ＢＥＲ判定器６６により受信時のＢＥＲを判定するのであるが、強電界エリアにおいて大きな妨害信号によりＢＥＲが劣化したのか、弱電界によりＢＥＲが劣化したのかの判定が困難である。
【００５４】
次に、これらの判定を行う信号レベル判定器６９の動作について説明する。図１において、増幅回路４３の利得制御範囲は、入力端子２３ａにおける入力信号レベルとして０〜−５０ｄＢｍとしている。
【００５５】
従って、増幅回路４７の利得制御範囲は、（−５０＋Ｖ１）〜（−９０ｄＢｍ＋Ｖ１）となる。このように利得制御を行うことによって、入力信号レベルを最適化し、ノイズが少なく歪が発生しない高周波受信部２３としている。なお、Ｖ１は、増幅回路４３の入力から増幅回路４７の入力までの利得としている。
【００５６】
この高周波受信装置２１における希望信号と妨害信号の大きさに応じた具体的動作について以下説明する。例えば、入力端子２３ａでのレベルとしてのデジタル放送を希望信号−５０ｄＢｍとし、アナログ放送を妨害信号−１０ｄＢｍとした受信条件においては、以下のようになる。
【００５７】
すなわち、妨害信号は、フィルタ４２により例えば１５ｄＢ抑圧されるとする。この抑圧された妨害信号−２５ｄＢｍが、増幅回路４３に入力される。この増幅回路４３では、入力端子２３ａにおける入力信号レベルとして０ｄＢｍから−５０ｄＢｍまで利得制御が行われる。このため、増幅回路４３では、妨害信号−２５ｄＢｍは、この妨害信号−２５ｄＢｍから利得制御−５０ｄＢｍを差し引いた分の２５ｄＢだけ利得制御される。
【００５８】
従って、増幅回路４７に入力される妨害信号は、妨害信号−２５ｄＢｍから利得制御２５ｄＢを引き、さらに利得分Ｖ１を加算し、さらにフィルタ４６での妨害信号に対する抑圧分Ｖｓを差し引いたレベル（−５０ｄＢｍ＋Ｖ１−Ｖｓ）となる。
【００５９】
このフィルタ４６に、例えばＳＡＷフィルタを用いることにより、Ｖｓを４０ｄＢ以上とできるので、増幅回路４７に入力される妨害信号を（−９０ｄＢｍ＋Ｖ１）以下とできる。
【００６０】
同様に、フィルタ４６から出力される希望信号は、希望信号−５０ｄＢｍから利得制御２５ｄＢを引き、さらに利得分Ｖ１を加算したレベル（−７５ｄＢｍ＋Ｖ１）となる。つまり、フィルタ４６によって、妨害信号は、希望信号より２５ｄＢ十分に抑圧されているので、後段での歪がほとんど発生しないことになる。
【００６１】
そして、フィルタ４６から出力される希望信号（−７５ｄＢｍ＋Ｖ１）は、増幅回路４７に入力される。この増幅回路４７の利得制御範囲は、（−５０＋Ｖ１）〜（−９０ｄＢｍ＋Ｖ１）としている。このため、増幅回路４７では、希望信号（−７５ｄＢｍ＋Ｖ１）は、この希望信号（−７５ｄＢｍ＋Ｖ１）から利得制御範囲の下限（−９０ｄＢｍ＋Ｖ１）を差し引いた分−１５ｄＢだけ利得制御されることになる。
【００６２】
従って、増幅回路４７では、希望信号によって−１５ｄＢの利得制御が行われることになる。つまり、この希望信号の大きさに応じて、利得制御入力４７ａの利得制御電圧が変化することになる。
【００６３】
ところが、この希望信号の大きさは、妨害信号の大きさに応じて変化するものであり、妨害信号が大きいほど増幅回路４３において利得制御が大きくなる。その結果、増幅回路４７に入力される希望信号が小さくなるので、増幅回路４７は利得が大きくなるように制御される。
【００６４】
このように、大きな妨害信号の存在する強電界エリアでの受信時においては、信号レベル判定器６９を用いて、利得制御器５４、５６の利得制御電圧を基準電圧の上限値と下限値とを比較・判定することにより、妨害信号レベルの大きさを検出できる。
【００６５】
なお、信号レベル判定器６９の基準電圧の上限値と下限値は、基準電圧用入力端子２５ｃを介して入力できる。従って、外部端子から容易に最適値を設定できる。
【００６６】
このようにして、信号レベル判定器６９からの判定信号が利得切替え制御器６７に入力される。この利得切替え制御器６７により、増幅回路４１の利得を例えば１５ｄＢ小さくする。これにより、妨害信号を１５ｄＢ小さくできるので、増幅回路４１、４３および混合器４５による歪が低減され、高周波受信部２３の妨害特性を良くできる。
【００６７】
この場合の希望信号は、−５０ｄＢｍから−７５ｄＢｍと小さいレベルとなるが、図２の特性１０５より明らかなようにＢＥＲは劣化しない。
【００６８】
次の受信条件として、妨害信号がなく、希望信号（−５０ｄＢｍ以上）のみを受信する場合には、利得制御範囲（０ｄＢｍ〜−５０ｄＢｍ）である増幅回路４３により利得制御された一定レベルの信号が、増幅回路４７に供給される。このため、増幅回路４７の利得制御電圧は、利得最小となるので、利得制御器５６の利得制御電圧は変化しないことになる。
【００６９】
この場合、大きな妨害信号の存在する受信条件における利得制御電圧と同じとなる。従って、この利得制御電圧を用いることにより、同様に判定が可能となる。
【００７０】
次の受信状態として、弱電界エリア（−９０ｄＢｍ以下）で希望信号を受信する場合について説明する。
【００７１】
この弱電界エリア（−９０ｄＢｍ以下）で希望信号を受信する場合には、増幅回路４３、４７は利得が最大になるように制御され、利得制御範囲（−９０ｄＢｍ以下）である増幅回路５８により利得制御された一定レベルの信号が、Ａ／Ｄコンバータ５９に供給される。このため、利得制御器６３の利得制御電圧が変化することになる。
【００７２】
従って、この利得制御器６３の利得制御電圧を用いて信号レベル判定器６９で判定することにより、希望信号レベルの大きさを検出できる。この信号レベル判定器６９からの判定信号が入力される利得切替え制御器６７により、増幅回路４１を最大利得で動作させる。これにより、微弱な信号レベルに対する受信感度をよくできる。
【００７３】
以上のように、大きな妨害信号のある強電界エリア、あるいは妨害信号のない強電界エリアでは、利得切替え制御器６７からの利得切替え信号により増幅回路４１の利得を小さく設定する。これにより、増幅回路４１からの出力信号を小さくできるので、増幅回路４３および混合器４５における歪を小さくできる。従って、高周波受信部２３からは歪の少ない信号が出力される。
【００７４】
一方、弱電界エリアでは、利得切替え制御器６７からの利得切替え信号により増幅回路４１を最大利得で動作させる。これにより、高周波受信部２３からはノイズの少ない信号を出力することができる。
【００７５】
このようにして、増幅回路４１の動作状態を、利得切替え信号を用いて切替えることによって、強電界での妨害特性と弱電界での受信感度とを両立できる高周波受信装置２１を提供できる。
【００７６】
また、利得切替え制御器６７にはＢＥＲ判定器６６からの判定信号が入力されている。このＢＥＲ判定器６６では、受信中のＢＥＲ値がＢＥＲ用基準値（２×１０-4）と比較判定される。従って、利得切替え制御器６７での判定は、信号レベル判定器６９だけでなく、ＢＥＲ判定器６６からの判定信号の両方を用いることにより、判定の精度を向上できる。
【００７７】
なお、高周波受信装置２１の増幅回路４３、４７、５８等は、妨害特性および受信感度の関係から各増幅回路の利得配分あるいは利得制御範囲の設定について変える必要がある。従って、入力される希望信号、妨害信号の大きさを検出するためには、利得制御器５４、５６、６３のうちのひとつだけでは十分でない場合が発生する。この場合には、利得制御器５４、５６、６３のうち複数個を用いることにより希望信号、妨害信号の大きさをより正確に検出することが可能となる。
【００７８】
これら利得制御電圧は、移動受信中において受信条件が変化した場合の追従性が良好である。このため、大きな妨害信号のある強電界エリアでの受信条件、あるいは弱電界エリアでの受信条件のそれぞれに対応して、最適な受信性能を短時間に選択できる。従って、移動中でのテレビ受信に最適である。
【００７９】
さらに、利得制御器５４、５６、６３と信号レベル判定器との間に電圧をデジタルに変換するデジタル変換器を挿入し（図示せず）、このデジタル変換器から出力されるデジタル値をＩ２Ｃバスラインにより信号処理をしてもよい。この場合、共通のＩ２Ｃバスラインにより信号処理が可能となるので、配線が簡単になる。
【００８０】
さらになお、本発明の実施の形態では、一例としてデジタル用復調器６１からのＢＥＲをＢＥＲ判定器６６に入力して用いたが、ＢＥＲ判定器６６の代わりにＣ／Ｎ判定器（図示せず）を用い、このＣ／Ｎ判定器に対してデジタル用復調器６１からのＣ／Ｎ値を入力してもよい。
【００８１】
なお、高周波受信部２３では、混合器４５をシングルスーパとして用いたが、ダイレクトコンバージョンとして用いても、同様である。すなわち、混合器４５をＩ、Ｑ信号用の２つの混合器とし、これらＩ、Ｑ信号用の混合器の他方の入力には、発振器４８からの発振信号を互いに９０度の位相差を持たせてそれぞれ入力する。このように、ダイレクトコンバージョンとした場合には、ダイレクトコンバージョン以降の周波数が、Ｉ、Ｑ信号の低周波信号となる。つまり、低周波での信号処理となるので、集積回路化が容易となる。また、他の信号との干渉が発生しにくい。
【００８２】
さらに、本発明の実施の形態では、一例としてデジタル方式のテレビ放送信号を受信する場合について説明したが、アナログ方式のテレビ放送信号を受信する場合においても同様である。すなわち、デジタル用の復調部２４の代わりにアナログ用の復調部２４ｃ（図示せず）を用い、ＢＥＲ判定器６６の代わりにＳ／Ｎ判定器を使用する。そして、アナログ用の復調部のＳ／Ｎ検出信号をＳ／Ｎ判定器に入力し、このＳ／Ｎ判定器の判定信号を利得切替え制御器６７に入力することにより、同様の効果が得られる。
【００８３】
このように、受信条件としては、デジタル放送信号とアナログ放送信号の信号レベルの大小関係だけでなく、アナログ放送信号同士あるいは、デジタル放送信号同士での大小関係においても、本実施の形態の効果は、同様である。
【００８４】
（実施の形態２）
以下、本発明の実施の形態２では、増幅回路４１の一例として増幅回路７１、７２を図３（ａ）、（ｂ）によりそれぞれ表している。なお図１で使用した部品について、図３（ａ）、（ｂ）と同じものについては同一の番号を付して説明を簡略化している。
【００８５】
図３（ａ）の増幅回路７１では、入力４１ｂと出力４１ｃの間には、増幅器７１ａが接続されている。この増幅器７１ａには、電子スイッチ７１ｂと抵抗減衰器７１ｃからなる直列接続体が並列に接続されている。また、電子スイッチ７１ｂの開放・短絡の制御をする利得制御入力４１ａには、利得切替え制御端子２３ｄが接続されている。
【００８６】
このように構成された増幅回路７１は、利得制御入力４１ａに利得切替え信号が入力されることにより、増幅器７１ａへの電源供給が開始されるとともに、電子スイッチ７１ｂが開放される。これにより、抵抗減衰器７１ｃを介してでなく、増幅器７１ａの出力信号が出力４１ｃから出力される。
【００８７】
また、利得制御入力４１ａに利得切替え信号が入力されることにより、増幅器７１ａへの電源供給が停止されるとともに、電子スイッチ７１ｂが短絡される。これにより、増幅器７１ａでなく、抵抗減衰器７１ｃを介して出力４１ｃから信号が出力される。
【００８８】
つまり、電子スイッチ７１ｂを開放状態から短絡状態にした場合には、出力４１ｃからの出力信号は、増幅器７１ａの利得と抵抗減衰器７１ｃの減衰量との加算された分だけ小さく設定できることになる。この加算された分だけ、入力信号を減衰させることができる。
【００８９】
この増幅回路７１を用いることにより、増幅器７１ａの電源供給を停止できるので、省電力化が可能となり、さらに増幅器７１ａでの歪が発生しないことになる。
【００９０】
なお、抵抗減衰器７１ｃを設けることにより、電子スイッチ７１ｂを短絡した場合に、抵抗減衰器７１ｃによる信号減衰量を大きくできるので、最適な信号減衰量を選ぶことができる。また、抵抗減衰器７１ｃは、削除して短絡して用いてもよい。
【００９１】
図３（ｂ）の増幅回路７２では、入力４１ｂと出力４１ｃの間には、入力４１ｂから順に抵抗減衰器７２ａと増幅器７２ｂが接続されている。さらに、抵抗減衰器７２ａには、電子スイッチ７２ｃが並列に接続されている。電子スイッチ７２ｃの開放・短絡の制御をする利得制御入力４１ａには、利得切替え制御端子２３ｄが接続されている。
【００９２】
このように構成された増幅回路７２は、利得制御入力４１ａに利得切替え信号が入力されることにより、電子スイッチ７２ｃが開放される。これにより、抵抗減衰器７２ａを介して増幅器７２ｂの出力信号が出力４１ｃから出力される。
【００９３】
また、利得制御入力４１ａに利得切替え信号が入力されることにより、電子スイッチ７２ｃが短絡される。これにより、短絡された電子スイッチ７２ｃを介して増幅器７２ｂからの出力信号が、出力４１ｃから出力される。
【００９４】
つまり、電子スイッチ７２ｃを短絡から開放した場合には、出力４１ｃからの出力信号は、抵抗減衰器７２ａの減衰量の分だけ小さく設定されることになる。この加算された分だけ、入力信号を減衰させることができる。
【００９５】
この増幅回路７２では、増幅器７２ｂの入力に抵抗減衰器７２ａを挿入しているので、利得切替え制御による減衰量は抵抗減衰器７２ａによるものとなる。従って、増幅器７２ｂにおける歪は、抵抗減衰器７２ａの減衰量の分だけ低減できる。
【００９６】
（実施の形態３）
以下、本発明の実施の形態３における高周波受信装置１２１について、図４を用いて説明する。なお図４で使用した部品について、図１と同じものについては同一の番号を付して説明を簡略化している。
【００９７】
実施の形態１では、増幅回路４３、４７、５８は、利得制御器５４、５６、６３によりそれぞれ利得制御され、これら利得制御器５４、５６、６３からの利得制御電圧が信号レベル判定器６９の入力６９ａ、６９ｂ、６９ｃにそれぞれ入力されている。
【００９８】
これに対して、実施の形態３では、利得制御器６３を削除し、増幅回路５８を増幅度の一定な増幅回路１５８とし、利得制御器１５６の入力にはデジタルフィルタ６０の出力信号が供給している。さらに、増幅回路４３、１４７は、利得制御器５４、１５６によりそれぞれ利得制御され、これら利得制御器５４、１５６からの利得制御電圧が信号レベル判定器１６９の入力１６９ａ、１６９ｂにそれぞれ入力されている点が異なる。
【００９９】
これにより、増幅回路１４７の利得制御量は、増幅回路４７および５８の利得制御量を合わせた利得制御量としている。つまり、増幅回路１４７の利得制御範囲は、入力端子２３ａにおける入力信号レベルとして−５０ｄＢｍ以下に対して動作させることができる。
【０１００】
図４において、高周波受信装置１２１は、アンテナ２６が入力端子１２３ａを介して接続された高周波受信部１２３と、この高周波受信部１２３の出力が接続されるとともに出力端子１２４ｂを有する復調部１２４と、高周波受信部１２３の利得制御器５４、１５６からそれぞれ出力される利得制御電圧とデジタル用復調器６１の出力６１ａから出力されるＢＥＲ信号が入力されることにより増幅回路４１を利得制御する利得切替え制御部１２５とから構成されている。
【０１０１】
高周波受信部１２３には、入力端子１２３ａと出力端子１２３ｂが設けられている。利得制御器１５６の入力には、デジタルフィルタ６０からの出力信号が供給されている。
【０１０２】
また、信号レベル判定器１６９には、入力１６９ａ、１６９ｂ、１６９ｄが設けられている。この入力１６９ａ、１６９ｂには、利得制御器５４、１５６の利得制御電圧が入力されている。入力１６９ｄには、利得切替え制御部１２５に設けられた基準電圧用入力端子１２５ｃに接続されている。この利得切替え制御器６７の出力は、増幅回路の利得制御入力４１ａに接続されている。
【０１０３】
このように構成された高周波受信装置１２１の動作については、図１と基本的に同じであるので簡略化して説明する。
【０１０４】
入力端子１２３ａに入力された受信信号は、混合器４５により周波数変換されるとともに、出力端子１２３ｂから出力される信号レベルが一定値になるように増幅回路４３、１４７により利得制御される。
【０１０５】
例えば、大きな妨害信号の存在する強電界エリアでの受信時においては、信号レベル判定器１６９を用いて、利得制御器５４、１５６の利得制御電圧をそれぞれの基準電圧の上限値と下限値を比較・判定することにより、妨害信号レベルの大きさを検出できる。
【０１０６】
なお、信号レベル判定器１６９の基準電圧の上限値と下限値は、基準電圧用入力端子１２５ｃを介して入力できる。従って、外部端子であるから基準電圧用入力端子１２５ｃから容易に最適値を設定できる。
【０１０７】
このようにして、信号レベル判定器１６９からの判定信号が利得切替え制御器６７の入力６７ｂに入力される。この利得切替え制御器６７から出力される利得制御信号により、増幅回路４１の利得を切替えることができる。
【０１０８】
これにより、妨害信号を１５ｄＢ小さくできるので、増幅回路４３、１４７、混合器４５による歪が低減され、高周波受信装置１２１の妨害特性を良くできる。なお、このときの希望信号は、−５０ｄＢｍから−７５ｄＢｍと小さいレベルになるが、図２の特性１０５より明らかなようにＢＥＲは劣化しない。
【０１０９】
次の受信条件として、妨害信号がなく、希望信号（−５０ｄＢｍ以上）のみを受信する場合には、利得制御範囲（０ｄＢｍ〜−５０ｄＢｍ）である増幅回路４３により利得制御された一定レベルの信号が、増幅回路１４７に供給される。このため、増幅回路１４７の利得制御電圧は、利得最小となるので、利得制御器１５６の利得制御電圧は変化しないことになる。
【０１１０】
この場合、大きな妨害信号の存在する受信条件における利得制御電圧と同じとなる。従って、この利得制御電圧を用いることにより、同様に判定が可能となる。
【０１１１】
次の受信条件として、弱電界エリア（−９０ｄＢｍ以下）で希望信号を受信する場合について説明する。この弱電界エリア（−９０ｄＢｍ以下）で希望信号を受信する場合には、増幅回路４３は利得が最大になるように制御され、増幅回路１４７により利得制御された一定レベルの信号が、Ａ／Ｄコンバータ５９に供給される。このため、利得制御器１５６の利得制御電圧が変化することになる。
【０１１２】
従って、この利得制御器１５６の利得制御電圧を用いて信号レベル判定器１６９で判定する。希望信号が−９０ｄＢｍ以下であれば、信号レベル判定器１６９からの判定信号により、増幅回路４１の利得を最大値とする。これにより、微弱な信号レベルに対する受信感度をよくできる。
【０１１３】
以上のように、大きな妨害信号のある強電界エリアでの受信時には、利得切替え制御器６７からの利得制御信号により増幅回路４１の利得を小さくする。これにより、高周波受信部１２３からは歪の少ない信号が出力される。
【０１１４】
一方、弱電界エリアでの受信時には、利得切替え制御器６７からの利得制御信号により増幅回路４１を最大利得で動作させる。これにより、高周波受信部１２３からはノイズの少ない信号を出力することができる。
【０１１５】
このようにして、増幅回路４１の利得を、利得制御信号を用いて切替えることにより、強電界での妨害特性と弱電界での受信感度とを両立できる高周波受信装置１２１を提供できる。
【０１１６】
また、利得切替え制御器６７にはＢＥＲ判定器６６からの判定信号が入力されている。このＢＥＲ判定器６６では、受信中のＢＥＲ値がＢＥＲ用基準値（２×１０-4）と比較判定される。従って、利得切替え制御器６７での判定は、信号レベル判定器１６９だけでなく、ＢＥＲ判定器６６からの両方の判定信号を用いることにより、判定の精度が向上する。
【０１１７】
なお、増幅回路４３、１４７、１５８等は、妨害特性および受信感度の関係から各増幅回路の利得配分あるいは利得制御範囲の設定を変えることが必要となる。従って、入力される希望信号、妨害信号の大きさを検出するためには、利得制御器５４、１５６のうちのひとつだけでは十分でない場合が発生する。この場合には、利得制御部５４、１５６の両方を用いることにより可能となる。
【０１１８】
また、これら利得制御電圧は、受信条件が変化した場合の追従性が良好である。このため、強電界エリアでの受信条件、弱電界エリアでの受信条件、あるいは大きな妨害信号の存在する受信条件に対応して、最適な受信性能を短時間に選択できる。従って、移動中でのテレビ受信に最適である。
【０１１９】
なお、高周波受信部１２３では、混合器４５をシングルスーパーとして用いたが、ダイレクトコンバージョンとして用いても、同様である。すなわち、混合器４５をＩ、Ｑ信号用の２つの混合器とし、これらＩ、Ｑ信号用の混合器には、発振器４８からの発振信号を互いに９０度の位相差を持たせてそれぞれ入力する。
【０１２０】
このように、ダイレクトコンバージョンとした場合には、ダイレクトコンバージョン以降の周波数が、Ｉ、Ｑ信号の低周波信号となる。つまり、低周波での信号処理となるので、集積化が容易となる。また、他の信号との干渉が発生しにくい。
【０１２１】
さらに、本発明の実施の形態では、一例としてデジタル方式のテレビ放送信号を受信する場合について説明したが、アナログ方式のテレビ放送信号を受信する場合においても同様である。すなわち、デジタル信号用の復調部１２４の代わりにアナログ信号用の復調部１２４ｃ（図示せず）を用いて、このアナログ用の復調部２４ｃからのＳ／Ｎ検出信号を用いればよい。このＳ／Ｎ検出信号を、ＢＥＲ判定器６６の代わりにＳ／Ｎ判定器を使用し、このＳ／Ｎ判定器からの判定値を利得切替え制御器６７に入力することにより、同様の効果が得られる。
【０１２２】
（実施の形態４）
以下、本発明の実施の形態４について、図５を用いて説明する。図５は、高周波受信装置２２１のブロック図である。
【０１２３】
本実施の形態では、実施の形態１の少なくとも増幅回路４３、混合器４５、発振器４８、増幅回路４７を集積回路とし、この集積回路に設けられた入力端子２２３ｅとアンテナ２６が接続される入力端子２２３ａとの間に増幅回路２４１を接続している。なお、図５で使用した部品について、図１と同じものについては同一の番号を付して説明を簡略化している。
【０１２４】
図５において、高周波受信装置２２１は、高周波受信部２２３と、この高周波受信部２２３の出力が接続された復調部２４と、高周波受信部２２３を制御する利得切替え制御部２５から構成されている。
【０１２５】
この高周波受信装置２２１は、携帯電話に搭載される場合には、小型化、低消費電力化が要求される。このため、高周波受信部２２３を構成する少なくとも増幅回路４３、混合器４５、発振器４８、増幅回路４７を集積回路により低消費電力の設定としている。
【０１２６】
ところが、増幅回路４３、４７、混合器４５では、低消費電力化とすることにより歪が悪くなり、また集積回路化により雑音指数が悪くなってしまう。この歪と雑音指数を改善するために、本実施の形態では、入力端子２２３ｅと入力端子２２３ａとの間には歪と雑音指数のよい増幅回路２４１を外付けしている。
【０１２７】
この増幅回路２４１の利得制御入力２４１ａには、利得切替え制御器６７から出力される利得切替え信号が入力されている。この増幅回路２４１には、図３（ａ）の増幅回路７１、あるいは図３（ｂ）の増幅回路７２を用いることができる。
【０１２８】
以上のように構成された高周波受信装置２２１の動作は、実施の形態１と概略同じであるので、同様の部分について簡略化し、相違する部分のみ説明する。
【０１２９】
すなわち、大きな妨害信号のある強電界エリアでは、利得切替え制御器６７からの利得切替え信号により増幅回路２４１の利得を小さく設定する。これにより、増幅回路２４１からの出力信号を小さくできるので、増幅回路４３、混合器４５における歪を小さくできる。従って、高周波受信部２２３からは歪の少ない信号が出力される。
【０１３０】
一方、弱電界エリアでは、利得切替え制御器６７からの利得切替え信号により増幅回路２４１を最大利得で動作させる。この増幅回路２４１により、高周波受信部２２３の雑音指数を小さくできる。従って、高周波受信部２２３からノイズの少ない信号を出力することができる。
【０１３１】
増幅回路２４１は、図３（ａ）の増幅回路７１あるいは７２を用いることにより、弱電界エリアでの受信条件において増幅器７１ａあるいは７２ａを動作させ、強電界エリアでの受信条件においては、増幅器７１ａを用いず、スイッチ７１ｂにより信号をスルーさせて使用する。この場合、増幅器７１ａあるいは７２ａの電源供給を停止すれば低消費電力とできる。
【０１３２】
以上のように、少なくとも増幅回路４３、混合器４５、発振器４８、増幅回路４７を集積回路とし、この集積回路に設けられた入力端子２２３ｅと入力端子２２３ａとの間に増幅回路２４１を接続している。この増幅回路２４１の動作状態を、利得切替え信号を用いて切替えることによって、強電界での妨害特性と弱電界での受信感度とを両立できる高周波受信装置２２１を提供できる。
【０１３３】
なお、利得切替え制御器６７では、ＢＥＲ判定器６６からの判定信号を用いず、利得制御部５４、５６、６３の利得制御電圧のうち、少なくとも一つ以上の利得制御電圧を用いてもよい。この利得制御電圧は、移動受信中において受信条件が変化した場合、ＢＥＲを計算する時間が不要となり、追従性が良好である。このため、大きな妨害信号のある強電界エリアでの受信条件、あるいは弱電界エリアでの受信条件のそれぞれに対応して、最適な受信性能を短時間に選択できる。従って、移動中でのテレビ受信に最適である。
【０１３４】
さらに、高周波受信部２２３では、混合器４５をシングルスーパとして用いたが、ダイレクトコンバージョンとして用いても同様である。すなわち、混合器４５をＩ、Ｑ信号用の２つの混合器とし、これらＩ、Ｑ信号用の混合器の他方の入力には、発振器４８からの発振信号を互いに９０度の位相差を持たせてそれぞれ入力する。このように、ダイレクトコンバージョンとした場合には、ダイレクトコンバージョン以降の周波数が、Ｉ、Ｑ信号の低周波信号となる。つまり、低周波での信号処理となるので、集積回路化が容易となる。また、他の信号と干渉が発生しにくい。
【０１３５】
さらにまた、本発明の実施の形態では、一例としてデジタル方式のテレビ放送信号を受信する場合について説明したが、アナログ方式のテレビ放送信号を受信する場合においても同様である。すなわち、デジタル用の復調部２４の代わりにアナログ用の復調部を用い、ＢＥＲ判定器６６の代わりにＳ／Ｎ判定器を使用する。そして、アナログ用の復調部のＳ／Ｎ検出信号をＳ／Ｎ判定器に入力し、このＳ／Ｎ判定器の判定信号を利得切替え制御器６７に入力することにより、同様の効果が得られる。
【０１３６】
このように、受信条件としては、デジタル放送信号とアナログ放送信号の信号レベルの大小関係でなく、アナログ放送信号同士あるいは、デジタル放送信号同士での大小関係においても、本実施の形態の効果は、同様である。
【０１３７】
なお、実施の形態３の高周波受信部１２３に対して本実施の形態を用いても同様である。すなわち、少なくとも増幅回路４３、混合器４５、発振器４８、増幅回路１４７を集積回路とし、増幅回路４１の代わりに増幅回路２４１を外付けとして用いることができる。
【産業上の利用可能性】
【０１３８】
本発明にかかわる高周波受信装置では、高周波受信部における妨害信号に対する排除能力と弱電界エリアでの受信感度の両特性を改善できるという効果を有し、大きな妨害信号が存在する強電界エリアでの受信において有用となる。従って、特に移動受信用の高周波受信装置等に適用できる。
【図面の簡単な説明】
【０１３９】
【図１】本発明の実施の形態１における高周波受信装置のブロック図
【図２】同、希望信号、妨害信号とＢＥＲの関係を表す図
【図３】（ａ）は、本発明の実施の形態２における増幅回路の回路図、（ｂ）は、同、増幅回路の回路図
【図４】本発明の実施の形態３における高周波受信装置のブロック図
【図５】本発明の実施の形態４における高周波受信装置のブロック図
【図６】従来例における高周波受信装置のブロック図
【符号の説明】
【０１４０】
２３  高周波受信部
２３ａ  入力端子
２３ｂ  出力端子
４１  増幅回路
４３  増幅回路
４５  混合器
４７  増幅回路
４８  発振器
４９  ＰＬＬ回路
５４  利得制御器
５６  利得制御器
６７  利得切替え制御器
６９  信号レベル判定器
【図１】
0004605090.tif 000002
【図２】
0004605090.tif 000003
【図３】
0004605090.tif 000004
【図４】
0004605090.tif 000005
【図５】
0004605090.tif 000006
【図６】
0004605090.tif 000007